(57)【要約】【課題】遺体の口が開放したままになるのを目立たないように防止する。【解決手段】遺体の口１０３を閉じさせておくための遺体用口開放防止具１を、遺体の口腔１００内に導入可能に構成する。遺体用口開放防止具１を口腔１００内に導入することで、納棺時や葬儀の際に遺体用口開放防止具１が見えにくくなる。【選択図】図１
2010110471.tif 000002
【特許請求の範囲】
【請求項１】
遺体の口が開放したままになるのを防止する遺体用口開放防止具であって、
遺体の口腔内に導入されて上顎と下顎とを接近させるように構成されていることを特徴とする遺体用口開放防止具。
【請求項２】
請求項１に記載の遺体用口開放防止具において、
上顎の歯に係合する上歯係合部と、下顎の歯に係合する下歯係合部とを備えていることを特徴とする遺体用口開放防止具。
【請求項３】
請求項２に記載の遺体用口開放防止具において、
各係合部は、歯の表側に接触する表側接触部と、歯の裏側に接触する裏側接触部とを備え、
上記表側及び裏側接触部により歯を表裏方向に挟持することを特徴とする遺体用口開放防止具。
【請求項４】
請求項３に記載の遺体用口開放防止具において、
表側及び裏側接触部の少なくとも一方は他方に接離する方向に弾性変形することを特徴とする遺体用口開放防止具。
【請求項５】
請求項３または４に記載の遺体用口開放防止具において、
表側及び裏側接触部の少なくとも一方には、歯に対する滑りを抑止する滑り止め部が設けられていることを特徴とする遺体用口開放防止具。
【請求項６】
請求項２から５のいずれか１つに記載の遺体用口開放防止具において、
上歯及び下歯係合部は、隣り合う複数の歯に係合することを特徴とする遺体用口開放防止具。
【発明の詳細な説明】
【技術分野】
【０００１】
本発明は、遺体の口が開放したままになるのを防止する遺体用口開放防止具に関する。
【背景技術】
【０００２】
一般に、人間が死亡すると、筋肉が一旦弛緩した後、死後硬直が始まる。従って、死後、遺体を仰向けにしていると、頬及びその周辺の筋肉が弛緩することによって、図１５に示すように、下顎が上顎から離れて口が開放した状態となり、その状態で死後硬直が始まって口が開いたままとなるので、遺族等から見たとき、好ましいものとは言えない。
【０００３】
そこで、例えば、特許文献１に開示されている下顎保持具が用いられることがある。この下顎保持具は、下顎に当てる下顎当て部と、下顎当て部から床面まで延びるように形成された脚部とを備えており、使用時には、下顎当て部を下顎に当てて口を閉じさせてから脚部により下顎を支えて上顎から離れないようにする。
【特許文献１】特開２００２−１１３０５６号公報
【発明の開示】
【発明が解決しようとする課題】
【０００４】
ところで、特許文献１の保持具のように遺体の下顎に当てて使用するものは目立ち易いので、例えば納棺時及びそれ以後の葬儀の際には取り外される。下顎保持具を取り外してしまうと、死後硬直から時間が経過して死後硬直の状態が次第に解けていくと、下顎が上顎から離れていき、再び口が開放してしまうことがある。
【０００５】
本発明は斯かる点に鑑みてなされたものであり、その目的とするところは、遺体の口が開放したままになるのを目立たないように防止できるようにすることにある。
【課題を解決するための手段】
【０００６】
上記目的を達成するために、本発明では、口腔内において口の開放を防止できるようにした。
【０００７】
具体的には、第１の発明では、遺体の口が開放したままになるのを防止する遺体用口開放防止具であって、遺体の口腔内に導入されて上顎と下顎とを接近させるように構成されているものとする。
【０００８】
この構成によれば、遺体用口開放防止具を遺体の口腔内に導入して口が開放したままになるのを防止することが可能になるので、遺体用口開放防止具が見えにくくなる。
【０００９】
第２の発明では、第１の発明において、上顎の歯に係合する上歯係合部と、下顎の歯に係合する下歯係合部とを備えている構成とする。
【００１０】
この構成によれば、上歯係合部を上顎の歯に係合させるとともに、下歯係合部を下顎の歯に係合させることで、上顎と下顎とが接近した状態で保持される。
【００１１】
第３の発明では、第２の発明において、各係合部は、歯の表側に接触する表側接触部と、歯の裏側に接触する裏側接触部とを備え、上記表側及び裏側接触部により歯を表裏方向に挟持する構成とする。
【００１２】
この構成によれば、各係合部の表側及び裏側接触部の間に歯を差し込んでいくと、表側及び裏側接触部が歯を挟持する。これにより、各係合部が歯に係合した状態となる。
【００１３】
第４の発明では、第３の発明において、表側及び裏側接触部の少なくとも一方は他方に接離する方向に弾性変形する構成とする。
【００１４】
この構成によれば、表側及び裏側接触部の間に歯を差し込んだ際に、その歯の形状や表裏方向の寸法に応じて両接触部の間隔が変化して差し込まれた歯に対応するようになる。
【００１５】
第５の発明では、第３または４の発明において、表側及び裏側接触部の少なくとも一方には、歯に対する滑りを抑止する滑り止め部が設けられている構成とする。
【００１６】
この構成によれば、表側及び裏側接触部の間に一旦差し込んだ歯が両接触部の間から抜け難くなる。
【００１７】
第６の発明では、第２から５のいずれか１つの発明において、上歯及び下歯係合部は、隣り合う複数の歯に係合する構成とする。
【００１８】
この構成によれば、上歯係合部が上顎の複数の歯に係合することになるので、上歯係合部が歯から離脱し難くなる。下歯係合部も同様に下顎の歯から離脱し難くなる。
【発明の効果】
【００１９】
第１の発明によれば、遺体用口開放防止具を遺体の口腔内に導入した状態で口が開放したままになるのを防止することができるので、遺体用口開放防止具が目立つことはない。これにより、納棺時及び葬儀の際に遺体用口開放防止具を取り外すことなく、口を確実に閉じさせておくことができる。
【００２０】
第２の発明によれば、上歯係合部と下歯係合部とを設けたので、各係合部を上歯及び下歯に係合させる作業を行うだけで遺体の口が開かないようにすることができ、作業性を良好にすることができる。
【００２１】
第３の発明によれば、各係合部は、歯の表側に接触する表側接触部と、裏側に接触する裏側接触部とを備えており、表側及び裏側接触部により歯を挟持するようにしたので、歯を表側及び裏側接触部の間に差し込むという簡単な作業で各係合部を歯に係合させることができ、作業性をより一層良好にすることができる。
【００２２】
第４の発明によれば、表側及び裏側接触部の少なくとも一方が他方に接離する方向に弾性変形するので、表側及び裏側接触部の間隔が、これら両接触部で挟持する歯に対応するようになる。これにより、表側及び裏側接触部が歯の表側及び裏側にそれぞれ確実に接触して歯をしっかりと挟持することができる。
【００２３】
第５の発明によれば、表側及び裏側接触部の少なくとも一方に滑り止め部を設けたので、接触部の間から歯が抜け難くなり、口が不意に開放してしまうのを未然に防止できる。
【００２４】
第６の発明によれば、上歯係合部が上顎の歯から離脱し難くなるとともに、下歯係合部が下顎の歯から離脱し難くなるので、口が不意に開放してしまうのを未然に防止できる。
【発明を実施するための最良の形態】
【００２５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２６】
（実施形態１）
図１、２は、本発明の実施形態１に係る遺体用口開放防止具１の使用状態を示すものである。この遺体用口開放防止具１は、人間が死亡した後に、口腔１００内に導入して上顎１０１と下顎１０２とを接近させた状態で保持することによって、口１０３が開放したままになるのを防止するための器具である。尚、図１において、符号１０５は上顎１０１の歯茎、符号１０６は下顎１０２の歯茎、符号１０７は上顎１０１の歯、符号１０８は下顎１０２の歯、符号１０９は鼻腔、符号１１０は咽頭をそれぞれ示している。
【００２７】
遺体用口防止具１は、上顎１０１と下顎１０２とを接近させた状態で保持するための保持部材２を備えている。保持部材２は、図３に示すように、正面視でＨ型に近い形状をなしており、上側部分（図３の上側部分）は、上顎１０１の大臼歯１０７ａ（図５及び図６に示す）が係合する上歯係合部１０となっており、下側部分（同図の下側部分）は、下顎１０２の大臼歯１０８ａが係合する下歯係合部２０となっている。さらに、保持部材２は、上歯係合部１０及び下歯係合部２０の他に、これら係合部１０，２０を連結して一体化するための連結板部３０を備えている。
【００２８】
上歯係合部１０は、図４にも示すように、上方に開放しており、図５に示すように上顎１０１の大臼歯１０７ａが２本差し込まれるようになっている。図３及び図４に示すように、上歯係合部１０は、上顎１０１の大臼歯１０７ａの表側に接触する上歯表側接触部１１と、裏側に接触する上歯裏側接触部１２とで構成されている。下歯係合部２０は、下方に開放しており、下顎１０２の大臼歯１０８ａが２本差し込まれるようになっている。下歯係合部２０は、下顎１０２の大臼歯１０８ａの表側に接触する下歯表側接触部２１と、裏側に接触する下歯裏側接触部２２とで構成されている。これら接触部１１，１２，２１，２２及び連結板部３０は、弾性変形可能な樹脂材により一体成形されている。この樹脂材としては、焼却した際に有害ガスが発生しない周知の樹脂材が好ましいが、これに限られるものではなく、例えば、ポリアミド系樹脂（ＰＡ、ナイロン）、ポリカーボネート（ＰＣ）、ポリプロピレン（ＰＰ）、ポリエチレン（ＰＥ）等が挙げられる。
【００２９】
連結板部３０は矩形状をなしている。連結板部３０の厚みは、０．５ｍｍ以上２．０ｍｍ以下の範囲で設定されている。連結板部３０の厚みが薄い方が、上側の歯１０７と下側の歯１０８を接近させることができるので好ましい。また、連結板部３０の長手方向の寸法（歯の並び方向に対応する寸法）は、例えば、成人の大臼歯１０７ａ、１０８ａの幅の２倍程度の約２０ｍｍに設定されているが、これに限らず、５ｍｍ以上５０ｍｍの範囲内で任意の寸法に設定することが可能である。連結板部３０の幅寸法（歯の表裏方向の寸法）は、５ｍｍ以上２０ｍｍ以下の範囲で設定されている。
【００３０】
上歯表側接触部１１は、連結板部３０の幅方向一縁部から該連結板部３０の厚み方向に突出する板状をなし、また、上歯裏側接触部１２は、連結板部３０の幅方向の他縁部から同様に突出する板状をなしており、これら表側接触部１１と裏側接触部１２とは対向している。表側接触部１１は、裏側接触部１２に接離する方向に弾性変形して撓み、また、裏側接触部１２は、表側接触部１１に接離する方向に弾性変形して撓むようになっている。
【００３１】
上歯表側接触部１１及び上歯裏側接触部１２の厚みは、連結板部３０の厚みと同程度に設定されているが、連結板部３０よりも厚くしてもよいし、薄くしてもよい。上歯表側接触部１１の突出方向の寸法は、５ｍｍ以上１０ｍｍ以下の範囲で設定されている。図７にも示すように、上歯表側接触部１１の長手方向（連結板部３０の長手方向）の寸法は、連結板部３０の長手方向の寸法と略同じに設定されている。
【００３２】
上歯表側接触部１１は、突出方向先端に近づくほど上歯裏側接触部１２に接近するように傾斜している。上歯表側接触部１１の先端縁には、上歯裏側接触部１２へ向けて突出して先端縁に沿って延びる突条部（滑り止め部）１１ａが形成されている。突条部１１ａの突出高さは１ｍｍ以上が好ましい。突条部１１ａは、詳細は後述するが、大臼歯１０７ａの根に近い部分に当たるようになっている。
【００３３】
上歯裏側接触部１２は、上歯表側接触部１１と同形状となっており、その突出方向先端に近づくほど上歯表側接触部１１に接近するように傾斜している。上歯裏側接触部１２の先端縁には、上歯表側接触部１１の突条部１１ａへ向けて突出して該突条部１１ａと同様に延びる突条部（滑り止め部）１２ａが形成されている。
【００３４】
つまり、上歯表側接触部１１と上歯裏側接触部１２との間隔は、突出方向先端に近づくほど狭くなっており、両接触部１１，１２の先端部間の間隔は、差し込まれる大臼歯１０７ａの表裏方向の寸法よりも短く設定されている。
【００３５】
下歯表側接触部２１は、連結板部３０の幅方向一縁部から上歯表側接触部１１と反対方向に突出する板状をなし、また、下歯裏側接触部２２は、連結板部３０の幅方向の他縁部から同様に突出する板状をなしており、表側接触部２１と裏側接触部２２とは対向している。下歯表側接触部２１及び下歯裏側接触部２２は、上歯表側接触部１１及び下歯表側接触部１２と同形状であり、突条部（滑り止め部）２１ａ、２２ａをそれぞれ有している。下歯表側接触部２１と下歯裏側接触部２２とは、上歯表側接触部１１と上歯裏側接触部１２と同様に弾性変形するようになっている。
【００３６】
また、下歯表側接触部２１と下歯裏側接触部２２とは上歯表側接触部１１と上歯裏側接触部１２と同様に傾斜しており、よって、上記下歯表側接触部２１と下歯裏側接触部２２との間隔は、連結板部３０から離れるほど狭くなっている。両接触部２１，２２の先端部間の間隔は、差し込まれる大臼歯１０８ａの表裏方向の寸法よりも短く設定されている。
【００３７】
次に、上記のように構成された遺体用口開放防止具１の使用要領について説明する。まず、遺体用口開放防止具１を２つ用意する。そして、遺体の口１０３を開けて一方の遺体用口開放防止具１を口腔１００内に導入し、上顎１０１の左側の大臼歯１０７ａを上歯表側接触部１１及び上歯裏側接触部１２の間に差し込む。このとき差し込む大臼歯１０７ａは、図５に示すように、第１及び第２大臼歯１０７ａ、１０７ａが好ましい。
【００３８】
上歯表側接触部１１と上歯裏側接触部１２との先端部間の間隔が大臼歯１０７ａの表裏方向の寸法よりも狭いので、図６に示すように、大臼歯１０７ａを差し込むと両接触部１１，１２の間隔が広がっていき、大臼歯１０７ａの寸法及び形状に対応するように両接触部１１，１２が弾性変形する。やがて、大臼歯１０７ａの歯冠が連結板部３０に接触し、これにより、大臼歯１０７ａが上歯表側接触部１１と上歯裏側接触部１２との間に完全に差し込まれた状態となる。このとき、上歯表側接触部１１と上歯裏側接触部１２を弾性変形させているので、その復元力により表側接触部１１は大臼歯１０７ａの表側に圧接し、裏側接触部１２は大臼歯１０７ａの裏側に圧接する。これにより、表側及び裏側接触部１１，１２によって大臼歯１０７ａを表裏方向に挟持して大臼歯１０７ａが表側及び裏側接触部１１，１２の間から抜け難くなり、上歯係合部１０が大臼歯１０７ａに係合した状態となる。
【００３９】
また、他方の遺体用口開放防止具１を口腔１００内に導入し、該遺体用口開放防止具１の上歯表側接触部１１及び上歯裏側接触部１２の間に上顎１０１の右側の大臼歯１０７ａ、１０７ａを上記と同様にして差し込む。
【００４０】
しかる後、下顎１０２を上顎１０１に接近させていき、左側の遺体用口開放防止具１の下歯表側接触部２１と下歯裏側接触部２２との間に、下顎１０２の左側の大臼歯１０８ａ，１０８ａを差し込む。この大臼歯１０８ａは、上顎１０１の大臼歯１０７ａと同じ第１及び第２大臼歯１０８ａ，１０８ａである。すると、下歯表側接触部２１と下歯裏側接触部２２は、上記した上歯表側接触部１１及び上歯裏側接触部１２と同様に弾性変形して大臼歯１０８ａが完全に差し込まれた状態となる。このとき、接触部２１，２２の復元力により表側接触部２１は大臼歯１０８ａの表側に圧接し、裏側接触部２２は大臼歯１０８ａの裏側に圧接するので、下歯係合部２０が大臼歯１０８ａ，１０８ａに係合した状態となる。
【００４１】
また、他方の遺体用口開放防止具１の下歯表側接触部２１及び下歯裏側接触部２２の間に下顎１０２の右側の大臼歯１０８ａ，１０８ａを同様にして差し込む。
【００４２】
これにより、上顎１０１と下顎１０２とが接近した状態で保持されて口１０３が閉じられる。
【００４３】
尚、遺体用口開放防止具１の使用要領は上記に限られるものではなく、下歯係合部２０に下顎１０２の大臼歯１０８ａを係合させた後、上歯係合部１０に上顎１０１の大臼歯１０７ａを係合させるようにしてもよい。
【００４４】
以上説明したように、この実施形態１に係る遺体用口開放防止具１によれば、口腔１００内に導入した状態で、上歯係合部１０を上顎１０１の大臼歯１０７ａ，１０７ａに係合させ、下歯係合部２０を下顎１０２の大臼歯１０８ａ，１０８ａに係合させることにより、上顎１０１と下顎１０２とを接近させた状態で保持するようにしたので、納棺時及び葬儀の際に遺体用口開放防止具１を取り外す必要はなく、口１０３を確実に閉じさせておくことができる。
【００４５】
また、遺体用口開放防止具１を使用する際には、上顎１０１の大臼歯１０７ａ，１０７ａを上歯表側接触部１１と上歯裏側接触部１２との間に差し込み、下顎１０２の大臼歯１０８ａ，１０８ａを下歯表側接触部２１と下歯裏側接触部２２との間に差し込むという、簡単な作業を行うだけで済むので、作業性を良好にすることができる。
【００４６】
また、上歯表側接触部１１及び上歯裏側接触部１２が互いに接離する方向に弾性変形するので、これら接触部１１，１２の間隔が、両接触部１１，１２の間に差し込んだ大臼歯１０７ａの寸法及び形状に対応するようになり、両接触部１１，１２が大臼歯１０７ａの表側及び裏側に確実に接触して大臼歯１０７ａをしっかりと挟持することができる。下歯係合部２０も同様に大臼歯１０８ａをしっかりと挟持することができる。
【００４７】
また、上歯表側接触部１１及び上歯裏側接触部１２に突条部１１ａ，１２ａを形成したので、突条部１１ａ，１２ａが大臼歯１０７ａの表側及び裏側の根に近い部分に引っ掛かるようになり、大臼歯１０７ａに対する滑り止めとして機能し、接触部１１，１２の間から大臼歯１０７ａが抜け難くなる。また、突条部２１ａ，２２ａも大臼歯１０８ａに対する滑り止めとして機能し、接触部２１，２２の間から大臼歯１０８ａが抜け難くなる。よって、口１０３が不意に開放してしまうのを未然に防止できる。
【００４８】
また、上歯係合部１０が上顎１０１の複数の大臼歯１０７ａ，１０７ａに係合することになるので、上歯係合部１０が大臼歯１０７ａ，１０７ａから離脱し難くなる。また、下歯係合部２０も同様に下顎１０２の大臼歯１０８ａ，１０８ａから離脱し難くなる。このことによっても、口１０３が不意に開放してしまうのを未然に防止できる。
【００４９】
また、遺体用口開放防止具１を、口腔１００の奥側にある大臼歯１０７ａ，１０８ａに係合させるようにしたので、例えば上唇と下唇との間に多少隙間があっても遺体用口開放防止具１が見えにくい。
【００５０】
尚、上記実施形態１では、遺体用口開放防止具１を大臼歯１０７ａ、１０８ａに係合させるようにしているが、これに限らず、例えば、図８に示すように、切歯１０７ｂ、１０８ｂに係合させるようにしてもよい。遺体用口開放防止具１は、大臼歯１０７ａ，１０８ａ及び切歯１０７ｂ，１０８ｂ以外にも、犬歯１０７ｃ，１０８ｃや小臼歯１０７ｄ，１０８ｄに係合させるようにしてもよいし、大臼歯１０７ａ，１０８ａと小臼歯１０７ｄ，１０８ｄに係合させてもよいし、犬歯１０７ｃ，１０８ｃと切歯１０７ｂ、１０８ｂに係合させるようにしてもよく、係合させる歯１０７，１０８の組み合わせは自由に設定することができる。遺体用口開放防止具１の各部の寸法は、係合させる歯１０７，１０８の種類や、遺体の性別、体格、年齢、歯１０７，１０８の存在数等に応じて変更することが可能である。
【００５１】
また、上歯表側接触部１１、上歯裏側接触部１２、下歯表側接触部２１、下歯裏側接触部２２及び連結板部３０は、別々に成形した後に一体化するようにしてもよい。これら接触部１１，１２，２１，２２及び連結板部３０の材料は、互いに異ならせてもよい。
【００５２】
また、１つの遺体用口開放防止具１で口１０３を閉じるようにしてもよいし、３つ以上の遺体用口開放防止具１を用いることもできる。複数の遺体用口開放防止具１を用いる場合には、互いに形状を異ならせてもよい。
【００５３】
また、図９に示す変形例１のように、２つの保持部材２，２と、これら保持部材２，２を繋ぐ連結部材４０とで遺体用口開放防止具１を構成してもよい。保持部材２，２の間隔は、左の大臼歯１０７ａと右の大臼歯１０７ａとの間隔に対応するように設定されている。連結部材４０は、棒状に形成してもよいし、板状に形成してもよい。また、連結部材４０を保持部材２，２に一体成形するのが好ましいが、別々に成形した後、溶着や接着等の方法によって一体化するようにしてもよい。連結部材４０は複数設けてもよく、その場合は、連結部材４０の形状を互いに異ならせてもよい。保持部材２，２と連結部材４０との材料を異ならせてもよい。
【００５４】
また、図１０に示す変形例２のように、上歯表側接触部１１、上歯裏側接触部１２、下歯表側接触部２１及び下歯裏側接触部２２の各々には、突条部１１ａ，１２ａ，２１ａ，２２ａの代わりに、複数の突起１１ｂ，１２ｂ，２１ｂ，２２ｂを設けるようにしてもよい。各突起１１ｂ，１２ｂ，２１ｂ，２２ｂは、突条部１１ａ，１２ａ，２１ａ，２２ａの延びる方向に間隔をあけて並んでいる。突起１１ｂ，１２ｂ，２１ｂ，２２ｂの数は１つであってもよい。上歯表側接触部１１、上歯裏側接触部１２、下歯表側接触部２１及び下歯裏側接触部２２のうち、任意の１つ又は複数に突起１１ｂ，１２ｂ，２１ｂ，２２ｂを設けてもよい。
【００５５】
また、図１１に示す変形例３のように、上歯裏側接触部１２及び下歯裏側接触部２２の肉厚を、上歯表側接触部１１及び下歯表側接触部２１の肉厚よりも厚くしてもよい。これにより、上歯表側接触部１１及び下歯表側接触部２１の肉厚を相対的に薄くしながら、遺体用口開放防止具１全体の強度を十分に確保することが可能になる。上歯表側接触部１１及び下歯表側接触部２１の肉厚を相対的に薄くすることで、遺体用口開放防止具１を装着したことによって遺体の頬が膨らむようになるのを抑制することができる。また、上歯裏側接触部１２及び下歯裏側接触部２２の基端側のみを上歯表側接触部１１及び下歯表側接触部２１の肉厚よりも厚くしてもよい。
【００５６】
また、図１２に示す変形例４のように、連結板部３０を省略して棒状の連結部３１，３１，３１を設けてもよい。これら連結部３１，３１，３１は、大臼歯１０７ａ，１０７の間及び大臼歯１０８ａ，１０８ａの間に嵌るように形成されている。これにより、上歯１０７と下歯１０８とを接触させることが可能になり、口１０３を確実に閉じさせておくことができる。連結部３１の数は任意に設定することが可能である。
【００５７】
また、図１３に示す変形例５のように、連結板部３０の肉厚を上歯裏側接触部１２及び下歯裏側接触部２２の肉厚を、上歯表側接触部１１及び下歯表側接触部２１の肉厚よりも薄くするのが好ましい。これにより、上歯１０７と下歯１０８とを接近させることが可能になる。
【００５８】
（実施形態２）
図１４は、本発明の実施形態２に係る遺体用口開放防止具１を示すものである。この実施形態２の遺体用口開放防止具１は、実施形態１のものに対し、材料及び各部の形状が異なっているだけであり、各部には実施形態１と同一の符号を付して説明する。
【００５９】
すなわち、この実施形態２の遺体用口開放防止具１は、金属板材で構成されている。金属板材の種類としては、バネ鋼等の弾性を有する板材が好ましいが、これに限られるものではない。この遺体用口開放防止具１は、実施形態１のものに比べて各部の厚みが薄く設定されている。また、上歯表側接触部１１、上歯裏側接触部１２、下歯表側接触部２１及び下歯裏側接触部２２の突条部１１ａ，１２ａ，２１ａ，２２ａは、金属板材を曲げ成形してなるものである。
【００６０】
この実施形態２の遺体用口開放防止具１も実施形態１のものと同様に使用することができ、同様な作用効果を奏することができる。
【００６１】
また、実施形態２の保持部材２を実施形態１の変形例１のように２つ繋いで遺体用口開放防止具１を構成してもよい。
【００６２】
また、本実施形態の遺体用口開放防止具１を樹脂材や各種ゴム等でコーティングするようにしてもよい。
【００６３】
また、本実施形態の遺体用口開放防止具１に、実施形態１の変形例２〜５に示す構造を設けてもよい。
【００６４】
（その他の実施形態）
本発明の実施形態は上記に限られるものはなく、実施形態１，２の遺体用口開放防止具１の上歯係合部１０を上顎１０１の歯１０７に対し接着剤を用いて接着することによって係合状態とし、下歯係合部２０を下顎１０２の歯１０８に同様に接着によって係合状態とするようにしてもよい。上歯係合部１０と下歯係合部２０との一方のみを接着するようにしてもよい。この場合、接着剤に冒されない材料で遺体用口開放防止具１を構成するのが好ましい。
【００６５】
また、接着剤を歯１０７，１０８に塗布した後に、遺体用口開放防止具１を上記のようにして付けてもよいし、遺体用口開放防止具１に接着剤を予め塗布しておき、それを上記のようにして付けてもよい。
【００６６】
また、上記実施形態１，２では、遺体用口開放防止具１が歯１０７，１０８に係合するようになっているが、遺体用口開放防止具１を、歯茎１０５，１０６に係合するように形成し、歯茎１０５，１０６に係合させることによって口１０３を閉じさせるようにしてもよい。
【００６７】
また、遺体用口開放防止具１の材料としては、各種樹脂材や金属材の他、天然ゴム、合成ゴム等であってもよく、これら材料のうち、任意の複数種を組み合わせたものであってもよい。
【００６８】
また、表側接触部１１，２１や裏側接触部１２，２２のうち、歯１０７，１０８と接触する部分には、該接触部１１，１２，２１，２２を構成する材料よりも高摩擦係数の滑り止め材を設けるのが好ましい。この滑り止め材に凹凸加工やローレット加工等の滑り止め加工を施してもよい。また、表側接触部１１，２１や裏側接触部１２，２２のうち、歯１０７，１０８と接触する部分には、上記滑り止め加工を施すのが好ましい。
【００６９】
また、図示しないが、例えば、接着剤のみで遺体用口開放防止具を構成することもできる。すなわち、歯１０７，１０８や歯茎１０５，１０６、口腔粘膜に対する接着性を有する接着剤を口腔１００内に導入し、その後、下顎１０２を上顎１０１に接近させて口１０３を閉じることで、上顎１０１の歯１０７、歯茎１０５ないし粘膜と、下顎１０２の歯１０８、歯茎１０６ないし粘膜とを接着することで、口１０３を閉じたままにさせることができる。
【００７０】
また、遺体用口開放防止具１は、無色透明が好ましいが、着色してもよい。着色する場合には、歯茎１０５，１０６に近い色や歯１０７，１０８に近い色が好ましく、例えば、歯１０７，１０８に近い色としては、例えば、白、アイボリー等が挙げられる。
【００７１】
また、上歯表側接触部１１と上歯裏側接触部１２との一方のみを弾性変形するように構成してもよいし、下歯表側接触部２１と下歯裏側接触部２２との一方のみを弾性変形するように構成してもよい。
【産業上の利用可能性】
【００７２】
以上説明したように、本発明に係る遺体用口開放防止具は、例えば、死後硬直が始まる前の遺体に使用するのに適している。
【図面の簡単な説明】
【００７３】
【図１】実施形態１に係る遺体用口開放防止具の使用状態を説明する図である。
【図２】遺体用口開放防止具が装着された遺体を示す図である。
【図３】遺体用口開放防止具の正面図である。
【図４】遺体用口開放防止具の斜視図である。
【図５】遺体用口開放防止具の使用状態を拡大して示す図である。
【図６】図５のVI-VI線断面図である。
【図７】遺体用口開放防止具の側面図である。
【図８】遺体用口開放防止具を切歯に使用した場合を示す図５相当図である。
【図９】実施形態１の変形例１に係る図４相当図である。
【図１０】実施形態１の変形例２に係る図４相当図である。
【図１１】実施形態１の変形例３に係る図３相当図である。
【図１２】実施形態１の変形例４に係る図４相当図である。
【図１３】実施形態１の変形例５に係る図３相当図である。
【図１４】実施形態２に係る図３相当図である。
【図１５】遺体用口開放防止具を装着していない場合の図２相当図である。
【符号の説明】
【００７４】
１              遺体用口開放防止具
２              保持部材
１０            上歯係合部
２０            下歯係合部
１１            上歯表側接触部
１２            上歯裏側接触部
２１            下歯表側接触部
２２            下歯裏側接触部
１１ａ、１２ａ、２１ａ、２２ａ    突条部（滑り止め部）
１１ｂ、１２ｂ、２１ｂ、２２ｂ    突起（滑り止め部）
１００          口腔
１０１          上顎
１０２          下顎
１０３          口
１０７，１０８  歯
【図１】
2010110471.tif 000003
【図２】
2010110471.tif 000004
【図３】
2010110471.tif 000005
【図４】
2010110471.tif 000006
【図５】
2010110471.tif 000007
【図６】
2010110471.tif 000008
【図７】
2010110471.tif 000009
【図８】
2010110471.tif 000010
【図９】
2010110471.tif 000011
【図１０】
2010110471.tif 000012
【図１１】
2010110471.tif 000013
【図１２】
2010110471.tif 000014
【図１３】
2010110471.tif 000015
【図１４】
2010110471.tif 000016
【図１５】
2010110471.tif 000017